(57)【特許請求の範囲】
【請求項１】
基本動作の結果、本体の上面部が前記基本動作の前よりも温かくなる家電機器であって、
前記上面部に乗った測定対象物であるペットの重量を測定し、測定情報を出力する重量測定手段と、
前記重量測定手段での前記測定情報に基づいて前記測定対象物の重量を検知する重量検知動作を実行する制御部と、
複数の操作部と、を有し、
前記上面部は、
前記本体の内部に向いている裏面を有し、
前記重量測定手段は、
前記上面部の裏面に設置され、
前記複数の操作部は、
前記基本動作の開始指示を受け付ける第１の操作部と、前記基本動作の開始指示とならない第２の操作部と、を有し、
前記制御部は、
２つ以上の前記第２の操作部の操作が同時に行われることによって前記重量検知動作を開始する、家電機器。
【請求項２】
基本動作の結果、本体の上面部が前記基本動作の前よりも温かくなる家電機器であって、
前記上面部に乗った測定対象物の重量を測定し、測定情報を出力する重量測定手段と、
前記重量測定手段での前記測定情報に基づいて前記測定対象物の重量を検知する重量検知動作を実行する制御部と、を有し、
前記上面部は、
前記本体の内部に向いている裏面を有し、
前記重量測定手段は、
前記上面部の裏面に設置され、
前記制御部は、
前記測定対象物の重量が予め定めた基準重量以上である場合、前記基本動作を行わない、家電機器。
【請求項３】
前記上面部が前記本体の天面を開閉自在に覆い、前記基本動作の際に用いる部材を前記本体から取り外し可能に構成されているものにおいて、
前記制御部は、
前記部材を取り外した状態で、前記上面部が閉められた際に前記重量検知動作を実行する、請求項１又は２に記載の家電機器。
【請求項４】
基本動作の結果、本体の上面部が前記基本動作の前よりも温かくなる家電機器であって、
前記上面部に乗った測定対象物の重量を測定し、測定情報を出力する重量測定手段と、
前記重量測定手段での前記測定情報に基づいて前記測定対象物の重量を検知する重量検知動作を実行する制御部と、を有し、
前記上面部は、
前記本体の内部に向いている裏面を有し、
前記重量測定手段は、
前記上面部の裏面に設置され、
前記上面部が前記本体の天面を開閉自在に覆い、前記基本動作の際に用いる部材を前記本体から取り外し可能に構成されているものにおいて、
前記制御部は、
前記部材を取り外した状態で、前記上面部が閉められた際に前記重量検知動作を実行する、家電機器。
【請求項５】
前記制御部は、
前記測定対象物の重量が予め定めた基準重量以上である場合、前記基本動作を行わない、請求項１に記載の家電機器。
【請求項６】
前記測定対象物の重量を表示する表示部を備え、
前記制御部は、
前記重量検知動作中、前記表示部を介して前記重量検知動作中であることを表示させる、請求項１〜５の何れか１項に記載の家電機器。
【請求項７】
前記制御部は、
前記重量測定手段からの前記測定情報が変動した場合に前記重量検知動作を開始する、請求項１〜６の何れか１項に記載の家電機器。
【請求項８】
前記重量測定手段は、
前記上面部の中央部に設置されている、請求項１〜７のいずれか一項に記載の家電機器。
【請求項９】
前記重量測定手段は、
耐熱性カバーで覆われている、請求項１〜８のいずれか一項に記載の家電機器。
【請求項１０】
外部端末と通信可能な通信手段を設け、
前記制御部は、
前記測定対象物の重量を前記通信手段を介して前記外部端末に送信する、請求項１〜９のいずれか一項に記載の家電機器。
【請求項１１】
当該家電機器は、
加熱調理器、空気調和装置、除湿機、加湿器、又は、冷蔵庫である、請求項１〜１０のいずれか一項に記載の家電機器。
【発明の詳細な説明】
【技術分野】
【０００１】
本発明は、測定対象物の重量を計測できるようにした加熱調理器又は冷蔵庫などの家電機器に関するものである。
【背景技術】
【０００２】
現代においては、ストレス社会及び少子高齢化社会を背景として、ペットに癒しを求めたり、ペットを家族の一員として受け入れたりするペット共生社会への移行が進んでいる。ペットの代表としては、例えばネコ、イヌ、ウサギ、ハムスター、金魚、及び、イタチ（フェレット）等が挙げられる。
また、人とペットとの関係も愛玩動物としての「飼う、飼われる」といった関係から「家族、パートナー」といった関係に変化している。ペットに対して「コンパニオンアニマル（伴侶動物）」という呼び名も広まりつつある。【０００３】
一方、ペットの高齢化が進んでおり、ペットの健康に対する意識も高まっている。ペットの健康を維持するためには、ペットの状態及び様子に変化が生じていることを早期に把握することが重要である。そのためには、ペットの現在の状態及び様子を的確に把握しなければならない。ペットの状態及び様子を的確に把握するための健康のバロメータとして、体重が挙げられる。【０００４】
特に猫については、完全室内飼いが一般的になっていること、及び、ペットフードが充実化していることにより、肥満が問題になっており、猫の体重を簡単に知りたいというニーズも多い。家の中で猫の体重を測定する方法としては、飼い主等の人が体重計にペットを乗せて体重計に表示される値を読み取る方法、又は、飼い主等の人がペットを抱えた状態で体重計に乗り、そこで表示される値から人の体重を差し引きすることで測定する方法がある。しかしながら、前者では、ペットが動いてしまって体重が正確に測れないという問題点があった。また、人がわざわざ体重計にペットを乗せるので手間がかかるという問題点もあった。後者では、特に抱っこを嫌う猫は暴れてしまい、体重を正確に測れないという問題点があった。【０００５】
例えば、特許文献１では、ペット用のトイレ又は寝場所等のペットの居場所の下に重量計測手段を配置することで、ペットを体重計に乗せる手間を省くことができるようにしたペット用自動体重計測システムが提案されている。
【先行技術文献】
【特許文献】
【０００６】
【特許文献１】特開２００７−３３０２００号公報
【発明の概要】
【発明が解決しようとする課題】
【０００７】
特許文献１に記載のペット用自動体重計測システムでは、トイレではペットが動いていない時間がごくわずかなために、安定して体重を測ることができないという問題点があった。また、特に猫については、高い場所を好むという特性を有しているために、そういった場所に重量計測手段を配置できないという問題点があった。【０００８】
本発明は、上述の課題を背景になされたもので、特別な装置を要することなく、測定対象物の重量を安定かつ容易に計測できるようにした家電機器を提供することを目的としている。
【課題を解決するための手段】
【０００９】
本発明に係る家電機器は、基本動作の結果、本体の上面部が基本動作の前よりも温かくなる家電機器であって、上面部に乗った測定対象物であるペットの重量を測定し、測定情報を出力する重量測定手段と、重量測定手段での測定情報に基づいて測定対象物の重量を検知する重量検知動作を実行する制御部と、複数の操作部と、を有し、上面部は、本体の内部に向いている裏面を有し、重量測定手段は、上面部の裏面に設置され、複数の操作部は、基本動作の開始指示を受け付ける第１の操作部と、基本動作の開始指示とならない第２の操作部と、を有し、制御部は、２つ以上の第２の操作部の操作が同時に行われることによって重量検知動作を開始するものである。
【発明の効果】
【００１０】
本発明に係る家電機器によれば、上面部に乗った測定対象物の重量を測定する重量測定手段を設けたので、特別な装置を要することなく、測定対象物の重量を安定かつ容易に計測することができる。
【図面の簡単な説明】
【００１１】
【図１】本発明の実施の形態１に係る加熱調理器の構成の一例を概略的に示す概略斜視図である。
【図２】本発明の実施の形態１に係る加熱調理器の一部の断面構成を概略的に示す断面図である。
【図３】本発明の実施の形態１に係る加熱調理器の重量検知動作の際の処理の流れを示すフローチャートである。
【図４】本発明の実施の形態１に係る加熱調理器の重量検知動作時のイメージを概略的に示す模式図である。
【図５】本発明の実施の形態１に係る加熱調理器の重量検知動作時のイメージを概略的に示す模式図である。
【図６】本発明の実施の形態１に係る加熱調理器の重量検知動作時のイメージを概略的に示す模式図である。
【図７】本発明の実施の形態１に係る加熱調理器の重量検知動作時のイメージを概略的に示す模式図である。
【図８】本発明の実施の形態１に係る加熱調理器の変形例の一部の断面構成を概略的に示す断面図である。
【図９】本発明の実施の形態２に係る加熱調理器の構成の一例を概略的に示す概略斜視図である。
【図１０】本発明の実施の形態２に係る加熱調理器の一部の断面構成を概略的に示す断面図である。
【図１１】本発明の実施の形態３に係る加熱調理器の構成の一例を概略的に示す概略斜視図である。
【図１２】本発明の実施の形態３に係る加熱調理器の上面部を開いた状態を概略的に示す概略斜視図である。
【発明を実施するための形態】
【００１２】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１３】
まず、本発明に係る家電機器について説明する。本発明に係る家電機器は、一般的な家庭であれば通常揃っているものであり、例えば電子レンジ、オーブンレンジ、炊飯器、ＩＨクッキングヒータ、又は、冷蔵庫などを総称したものである。ただし、本発明に係る家電機器を例示したものに限定するものではなく、家電機器の上面部が温かくなるものであれば、本発明に係る家電機器に含まれるものとする。上面部が温かくなるとは、家電機器の基本動作の結果、基本動作前よりも上面部の温度が高くなっていることをいう。また、ネコを代表例として実施の形態を説明するが、ペットとしては、他にイヌ、ウサギ、ハムスター、金魚、及び、イタチ（フェレット）等が含まれる。
【００１４】
実施の形態１．
図１は、本発明の実施の形態１に係る加熱調理器１００Ａの構成の一例を概略的に示す概略斜視図である。図２は、加熱調理器１００Ａの一部の断面構成を概略的に示す断面図である。以下、図１及び図２に基づいて、加熱調理器１００Ａについて説明する。加熱調理器１００Ａは、本発明に係る家電機器のうちの１つである電子レンジ又はオーブンレンジである。
【００１５】
図１に示すように、加熱調理器１００Ａは、本体１Ａと、本体１Ａの前面を開閉可能に覆う扉２Ａと、を有している。また、扉２Ａの紙面右側には、各種情報を表示する表示部３Ａと、各種操作を受け付ける操作部４Ａと、が設置されている。表示部３Ａ及び操作部４Ａは、本体１Ａに内蔵されている制御部５Ａに接続されている。操作部４Ａには、スタートキー４Ａａ、取り消しキー４Ａｂ、メニュー選択キー４Ａｃ、及び、加熱時間キー４Ａｄなどの各種の操作キーが設けられている。
【００１６】
本体１Ａの内部には加熱室６Ａが形成されている。加熱室６Ａの前面には被加熱物の出し入れが可能な開口部が形成されている。この開口部を含む本体１Ａの前面の全域が、扉２Ａによって開閉されるようになっている。また、本体１Ａは、上面部７Ａを有している。そして、上面部７Ａの下側、つまり上面部７Ａの本体１Ａの内部に位置している裏面には重量測定手段８Ａが設置されている。
【００１７】
重量測定手段８Ａは、図１及び図２に示すように、上面部７Ａの裏面の中央部に設置されている。重量測定手段８Ａは、上面部７Ａに置かれた測定対象物の重量を測定するものである。重量測定手段８Ａでの測定情報は、制御部５Ａに送られる。重量測定手段８Ａは、重量センサーで構成するとよい。なお、重量測定手段８Ａが厳密に上面部７Ａの裏面の中央部に設置されている必要はない。
【００１８】
なお、本体１Ａの内部には、高周波発生手段であるマグネトロンと、マグネトロンに駆動電力を供給する高圧電力発生手段と、が設置されている。また、加熱室６Ａを加熱する手段として、高周波を用いた高周波加熱手段と、ヒーターを用いた輻射加熱手段と、が備えられている。高周波加熱とは、マグネトロンより高周波が励起され、導波管を伝搬し、加熱室６Ａの下部に配置されたアンテナモーターにより駆動される回転アンテナを介して加熱室６Ａへ放射し、高周波により被加熱物を加熱する加熱方式を言う。輻射加熱とは、加熱室６Ａの上部又は下部に設置されたヒーターにて、加熱室６Ａを高温にし、被加熱物を加熱する加熱方式を言う。
【００１９】
制御部５Ａは、操作部４Ａの操作に基づいてマグネトロン及びヒーターの動作を制御するものである。また、制御部５Ａは、重量測定手段８Ａからの測定情報に基づいて測定対象物の重量を検知する。制御部５Ａは、回路デバイスなどのハードウェア、又は、ＣＰＵなどの演算装置上で実行されるソフトウェアで構成されるものである。
【００２０】
加熱調理器１００Ａの重量検知動作について説明する。図３は、加熱調理器１００Ａの重量検知動作の際の処理の流れを示すフローチャートである。図４〜図７は、加熱調理器１００Ａの重量検知動作時のイメージを概略的に示す模式図である。図４が図３のステップＳ０に対応し、図５が図３のステップＳ１に対応し、図６が図３のステップＳ２に対応し、図７が図３のステップＳ３に対応している。
【００２１】
ここでは、ユーザー指示に基づいて、加熱調理器１００Ａが重量検知動作を実行する場合について説明する。また、操作部４Ａのうち２つのキー、例えば取り消しキー４Ａｂ及び加熱時間キー４Ａｄを同時に操作することをトリガーとして、加熱調理器１００Ａは重量検知動作を開始するものとする。
【００２２】
（図３のステップＳ０、図４）
ネコＣが加熱調理器１００Ａの上面部７Ａに乗る。ネコＣは、温かく、高い場所を好むという特性を有している。そのため、ネコＣは、自主的に、加熱調理器１００Ａの上面部７Ａに乗る。
【００２３】
（図３のステップＳ１、図５）
ネコＣが加熱調理器１００Ａの上面部７Ａに乗ったことをユーザーが確認したら、ユーザーは取り消しキー４Ａｂ及び加熱時間キー４Ａｄを同時に操作する。つまり、ユーザーＵは、取り消しキー４Ａｂ及び加熱時間キー４Ａｄを同時に押す。
【００２４】
（図３のステップＳ２、図６）
取り消しキー４Ａｂ及び加熱時間キー４Ａｄの同時操作をトリガーとして、加熱調理器１００Ａは重量検知動作を開始する。重量検知動作中、制御部５Ａは、表示部３Ａを介して重量検知動作中であることを示す画像又は文字などを表示するとよい。
【００２５】
（図３のステップＳ３、図７）
制御部５Ａは、ネコＣの重量が測定できたら、測定結果を表示部３Ａを介して表示させる。これで、一連の重量検知動作が終了する。
【００２６】
このようにしておけば、加熱調理器１００Ａの本来の機能である基本動作、つまり加熱動作を実行するためにユーザー指示がなされた場合と、重量検知動作をするためにユーザー指示がなされた場合と、で混同することがない。したがって、加熱動作及び重量検知動作のそれぞれを混同することなく実行することができる。また、新たなキーを追加することなく、重量検知動作を実現することができる。さらに、加熱動作のトリガーにならないキーを対象とすることで、加熱動作の誤動作を防ぐことができる。なお、２つのキーを上記例示したキーに限定するものではない。
【００２７】
また、加熱調理器１００Ａでは、ネコＣが自主的に上面部７Ａに乗った際に、重量測定できるようになっている。したがって、ネコＣをわざわざ体重計に乗せるという手間がなく、ネコＣが安定した状態で体重を測定することができる。そのため、加熱調理器１００Ａによれば、簡易かつ正確にネコＣの体重を測定することが可能になる。よって、ネコＣの健康を容易に管理することが可能になる。また、ネコＣだけではなく、調理の際に必要な調味料などの調理物の重量を簡単に測定することができる。
【００２８】
＜加熱調理器１００Ａの変形例＞
図８は、加熱調理器１００Ａの変形例の一部の断面構成を概略的に示す断面図である。図８に示す加熱調理器１００Ａは、重量測定手段８Ａを耐熱性部材である耐熱性カバー８Ａａで覆うようにしている。
【００２９】
加熱調理器１００Ａは、通常使用により加熱動作が実行されると、本体１Ａの内部が高温になることが考えられる。そこで、重量測定手段８Ａの機能を損なわないように耐熱性カバー８Ａａを設け、重量測定手段８Ａの保護を図っている。なお、耐熱性カバー８Ａａは、耐熱性を有する材料で構成されていればよく、特に材料を限定するものではない。また、耐熱性カバー８Ａａの大きさ及び形状については、本体１Ａ及び重量測定手段８Ａの大きさ及び形状に応じて決定すればよい。
【００３０】
＜加熱調理器１００Ａのその他の変形例＞
上記例では、操作部４Ａの既設の２つのキーを操作することで、重量検知動作が実行される場合を説明したが、重量検知動作開始のトリガーとなる重量検知開始キーを操作部４Ａの１つとして設けてもよい。この場合、操作部４Ａの他のキーに重量検知動作開始の機能を設定しなくてもよい。
【００３１】
また、ペットが上面部７Ａに乗ったことを加熱調理器１００Ａの制御部５Ａが測定した場合に、重量検知動作を自動的に実行するようにしてもよい。例えば、一定期間または常時、重量測定手段８Ａで重量測定を行い、重量の変化が測定された場合、制御部５Ａが重量の測定を開始するようにしてもよい。
【００３２】
なお、いずれの場合も、測定した重量が基準重量、例えば２．５ｋｇ以上の場合には、制御部５Ａは加熱動作を行わないようにするとよい。重量が２．５ｋｇ以上の場合、上面部７Ａにペットが乗っている可能性が高い。そのため、測定した重量に閾値を設けておくことで、加熱動作による温度上昇からペットを保護することができ、ペットの安全を確保できる。
【００３３】
また、加熱調理器１００Ａに外部端末と通信可能な通信手段を設け、測定した結果を外部端末に送信可能にしておいてもよい。また、外部端末からの指示で、制御部５Ａが重量検知動作を開始するようにしておいてもよい。外部端末とは、例えば携帯電話、スマートフォン、タブレット、あるいは、ＰＣ等である。加熱調理器１００Ａが外部端末と通信可能であれば、ユーザーが遠隔地にいた場合においても、ペットの重量変化を簡単かつ迅速に確認することができることになる。なお、この場合、外部端末に、専用のアプリをダウンロード可能にしておくとよい。専用のアプリを使用すれば、更に簡単かつ迅速にペットの重量変化を確認することができる。
【００３４】
実施の形態２．
図９は、本発明の実施の形態２に係る加熱調理器１００Ｂの構成の一例を概略的に示す概略斜視図である。図１０は、加熱調理器１００Ｂの一部の断面構成を概略的に示す断面図である。図９及び図１０に基づいて、加熱調理器１００Ｂについて説明する。また、実施の形態２では実施の形態１との相違点を中心に説明し、実施の形態１と同一部分には、同一符号を付して説明を省略するものとする。加熱調理器１００Ｂは、本発明に係る家電機器のうちの１つであるＩＨクッキングヒータである。
【００３５】
加熱調理器１００Ｂは、キッチンに設置されて利用されることが一般的である。図９に示すように、加熱調理器１００Ｂは、天面が開口された箱状の本体１Ｂと、本体１Ｂの上面に取り付けられた上面部７Ｂと、を有している。
また、必須な構成ではないが、加熱調理器１００Ｂは、本体１Ｂの前方に引き出し自在に設けられているグリル６Ｂを有している。
【００３６】
本体１Ｂの内部には、上面部７Ｂに載置された加熱対象物を加熱する誘導加熱コイルなどを備えた加熱部が設けられている。
上面部７Ｂは、本体１Ｂの天面を覆い、耐熱性のガラスを含んで構成されている。上面部７Ｂの表面には、本体１Ｂに設置されている加熱部の設置個数に応じた加熱対象物載置部１０Ｂが形成されている。図９では、３つの加熱対象物載置部１０Ｂを、紙面左側から加熱対象物載置部１０Ｂ１、加熱対象物載置部１０Ｂ２、加熱対象物載置部１０Ｂ３として図示している。なお、加熱対象物載置部１０Ｂは必須ではなく、また個数を限定するものではない。
【００３７】
加熱部は、上面部７Ｂに設けられている加熱対象物載置部１０Ｂの下方に配設されている。加熱部は、コイルベースに設置された誘導加熱コイルを備え、インバータ回路等が搭載されている制御部５Ｂによって加熱対象物を加熱するものである。具体的には、加熱部は、電流によって発生する磁力線によって、上面部７Ｂを介して加熱部の上側に載置される鍋又はフライパン等の加熱対象物に渦電流を生じさせ、加熱対象物それ自体を発熱させて加熱する。
【００３８】
加熱対象物載置部１０Ｂは、本体１Ｂに設置されている加熱部に対応する位置、つまり加熱領域を示す位置に、たとえば円形の表示等として設けられている。加熱対象物載置部１０Ｂは、たとえば、印刷又は塗装により上面部７Ｂに設ければよい。
【００３９】
上面部７Ｂの前方側中央部には、各種情報を表示する表示部３Ｂが設けられている。また、上面部７Ｂの前方側の表示部３Ａの両隣には、加熱制御に関する各種操作を受け付ける操作部４Ｂ１が設けられている。さらに、本体１Ｂの前面にも、加熱制御に関する各種操作を受け付ける操作部４Ｂ２が設けられている。本体１Ｂの前面には、スタートキー４Ｂ３も設けられている。なお、表示部３Ｂ、操作部４Ｂ１、操作部４Ｂ２、及び、スタートキー４Ｂ３の構成を、図示する構成に限定するものではない。
【００４０】
グリル６Ｂは、魚等の加熱対象物を焼くものであり、本体１Ｂの手前側に引き出されるようになっている。グリル６Ｂの内部には、庫内に載置された被調理物を加熱するための熱源となるグリル加熱手段が備えられている。このグリル加熱手段は、シーズヒーター等からなり、グリル６Ｂの内部上部及び内部下部の少なくとも一方に配置される。グリル加熱手段として、誘導加熱コイルを採用してもよい。また、グリル加熱手段として、コンベクションと呼ばれる熱風循環方式を採用してもよい。
【００４１】
また、上面部７Ｂの下側、つまり上面部７Ｂの本体１Ｂの内部に位置している裏面には重量測定手段８Ｂが設置されている。重量測定手段８Ｂは、図９に示すように、加熱対象物載置部１０Ｂの中心部に設置されている。図９では、３つの重量測定手段８Ｂを、紙面左側から重量測定手段８Ｂ１、重量測定手段８Ｂ２、重量測定手段８Ｂ３として図示している。重量測定手段８Ｂは、上面部７Ｂに置かれた測定対象物の重量を測定するものである。重量測定手段８Ｂでの測定情報は、制御部５Ｂに送られる。重量測定手段８Ｂは、重量センサーで構成するとよい。なお、重量測定手段８Ｂが厳密に加熱対象物載置部１０Ｂの中央部に設置されている必要はない。
【００４２】
制御部５Ｂは、操作部４Ｂの操作に基づいて加熱部及びグリル６Ｂの動作を制御するものである。また、制御部５Ｂは、重量測定手段８Ｂからの測定情報に基づいて測定対象物の重量を測定する。制御部５Ｂは、回路デバイスなどのハードウェア、又は、ＣＰＵなどの演算装置上で実行されるソフトウェアで構成されるものである。
【００４３】
加熱調理器１００Ｂの重量検知動作について説明する。ここでは、ユーザー指示に基づいて、加熱調理器１００Ｂが重量検知動作を実行する場合について説明する。また、操作部４Ｂ１、操作部４Ｂ２、及び、スタートキー４Ｂ３のうち２つのキー、例えば操作部４Ｂ１及びスタートキー４Ｂ３を同時に操作することをトリガーとして、加熱調理器１００Ｂは重量検知動作を開始するものとする。
【００４４】
例えば、ネコＣが加熱調理器１００Ｂの上面部７Ｂに乗ったり、重量を知りたいものをユーザーが上面部７Ｂに乗せたりする。測定対象物が上面部７Ｂに乗ったことをユーザーが確認したら、ユーザーは操作部４Ｂ１及びスタートキー４Ｂ３を同時に操作する。つまり、ユーザーＵは、操作部４Ｂ１及びスタートキー４Ｂ３を同時に押す。２つのキーの同時操作をトリガーとして、加熱調理器１００Ｂは重量検知動作を開始する。重量検知動作中、制御部５Ｂは、表示部３Ｂを介して重量検知動作中であることを示す画像を表示するとよい。
【００４５】
制御部５Ｂは、測定対象物の重量が測定できたら、測定結果を表示部３Ｂを介して表示させる。これで、一連の重量検知動作が終了する。
【００４６】
このようにしておけば、加熱調理器１００Ｂの本来の機能である基本動作、つまり加熱動作を実行するためにユーザー指示がなされた場合と、重量検知動作をするためにユーザー指示がなされた場合と、で混同することがない。したがって、加熱動作及び重量検知動作のそれぞれを混同することなく実行することができる。また、新たなキーを追加することなく、重量検知動作を実現することができる。さらに、重量検知動作のトリガーとなるキーは、加熱動作のトリガーにならないキーを対象とすることで、重量検知動作のトリガーとなるキーを押したときに誤って加熱動作が開始されるのを防ぐことができる。なお、重量検知動作のトリガーとなる２つのキーを上記例示したキーに限定するものではない。
【００４７】
また、加熱調理器１００Ｂでは、ネコＣが自主的に上面部７Ｂに乗った際に、重量測定できるようになっている。したがって、ネコＣをわざわざ体重計に乗せるという手間がなく、ネコＣが安定した状態で体重を測定することができる。そのため、加熱調理器１００Ｂによれば、簡易かつ正確にネコＣの体重を測定することが可能になる。よって、ネコＣの健康を容易に管理することが可能になる。また、調理の際に、調味料など必要な調理物の重量を簡単に測定することができる。
【００４８】
実施の形態３．
図１１は、本発明の実施の形態３に係る加熱調理器１００Ｃの構成の一例を概略的に示す概略斜視図である。図１２は、加熱調理器１００Ｃの上面部７Ｃを開いた状態を概略的に示す概略斜視図である。図１１及び図１２に基づいて、加熱調理器１００Ｃについて説明する。また、実施の形態３では実施の形態１及び実施の形態２との相違点を中心に説明し、実施の形態１及び実施の形態２と同一部分には、同一符号を付して説明を省略するものとする。加熱調理器１００Ｃは、本発明に係る家電機器のうちの１つである炊飯器である。
【００４９】
加熱調理器１００Ｃは、米などの調理物が入れられた内釜を加熱することで調理物を炊き上げるものである。図１１に示すように、加熱調理器１００Ｃは、本体１Ｃと、外蓋を構成する上面部７Ｃと、で外観が構成されている。内釜が、加熱調理器１００Ｃの基本動作の際に用いる部材である。
【００５０】
本体１Ｃの内部には、本体１Ｃに収納された内釜を誘導加熱して炊飯を行う加熱コイルなどが設けられている。加熱コイルは、インバータ回路等が搭載されている制御部５Ｃによって内釜を加熱するものである。具体的には、加熱コイルは、電流によって発生する磁力線によって、内釜に渦電流を生じさせ、内釜を介して内釜に収容された調理物を加熱する。
上面部７Ｃは、本体１Ｃの天面を開閉自在に覆うように構成されている。上面部７Ｃの下側、つまり上面部７Ｃの本体１Ｃの内部に位置している裏面には重量測定手段８Ｃが設置されている。
【００５１】
上面部７Ｃの中央部には、各種情報を表示する表示部３Ｃが設けられている。また、上面部７Ｃの前方側には、加熱制御に関する各種操作を受け付ける操作部４Ｃが設けられている。操作部４Ｃには、スタートキー４Ｃａ、取り消しキー４Ｃｂ、メニュー選択キー４Ｃｃ、及び、加熱時間キー４Ｃｄなどの各種の操作キーが設けられている。なお、表示部３Ｃ、及び、操作部４Ｃの構成を、図示する構成に限定するものではない。
【００５２】
重量測定手段８Ｃは、図１２に示すように、上面部７Ｃの裏面の中央部に設置されている。重量測定手段８Ｃは、上面部７Ｃに置かれた測定対象物の重量を測定するものである。重量測定手段８Ｃでの測定情報は、制御部５Ｃに送られる。重量測定手段８Ｃは、重量センサーで構成するとよい。なお、重量測定手段８Ｃが厳密に上面部７Ｃの裏面の中央部に設置されている必要はない。
【００５３】
制御部５Ｃは、操作部４Ｃの操作に基づいて加熱コイルの動作を制御するものである。また、制御部５Ｃは、重量測定手段８Ｃからの測定情報に基づいて測定対象物の重量を測定する。制御部５Ｃは、回路デバイスなどのハードウェア、又は、ＣＰＵなどの演算装置上で実行されるソフトウェアで構成されるものである。
【００５４】
加熱調理器１００Ｃの重量検知動作について説明する。ここでは、ユーザー指示に基づいて、加熱調理器１００Ｃが重量検知動作を実行する場合について説明する。また、操作部４Ｃのうち２つのキー、例えば取り消しキー４Ｃｂ及び加熱時間キー４Ｃｄを同時に操作することをトリガーとして、加熱調理器１００Ｃは重量検知動作を開始するものとする。
【００５５】
例えば、ネコＣが加熱調理器１００Ｃの上面部７Ｃに乗ったり、重量を知りたいものをユーザーが上面部７Ｃに乗せたりする。測定対象物が上面部７Ｃに乗ったことをユーザーが確認したら、ユーザーは取り消しキー４Ｃｂ及び加熱時間キー４Ｃｄを同時に操作する。つまり、ユーザーＵは、取り消しキー４Ｃｂ及び加熱時間キー４Ｃｄを同時に押す。２つのキーの同時操作をトリガーとして、加熱調理器１００Ｃは重量検知動作を開始する。重量検知動作中、制御部５Ｃは、表示部３Ｃを介して重量検知動作中であることを示す画像を表示するとよい。
【００５６】
制御部５Ｃは、測定対象物の重量が測定できたら、測定結果を表示部３Ｃを介して表示させる。これで、一連の重量検知動作が終了する。
【００５７】
このようにしておけば、加熱調理器１００Ｃの本来の機能である基本動作、つまり加熱動作を実行するためにユーザー指示がなされた場合と、重量検知動作をするためにユーザー指示がなされた場合と、で混同することがない。したがって、加熱動作及び重量検知動作のそれぞれを混同することなく実行することができる。また、新たなキーを追加することなく、重量検知動作を実現することができる。さらに、重量検知動作のトリガーとなるキーは、加熱動作のトリガーにならないキーを対象とすることで、重量検知動作のトリガーとなるキーを押したときに誤って加熱動作が開始されるのを防ぐことができる。なお、重量検知動作のトリガーとなる２つのキーを上記例示したキーに限定するものではない。
【００５８】
また、加熱調理器１００Ｃでは、ネコＣが自主的に上面部７Ｃに乗った際に、重量測定できるようになっている。したがって、ネコＣをわざわざ体重計に乗せるという手間がなく、ネコＣが安定した状態で体重を測定することができる。そのため、加熱調理器１００Ｃによれば、簡易かつ正確にネコＣの体重を測定することが可能になる。よって、ネコＣの健康を容易に管理することが可能になる。また、調理の際に、調味料など必要な調理物の重量を簡単に測定することができる。さらに、炊飯後、ご飯を好みの量に分けて冷凍保存したい場合に、簡単にご飯の重量を測定することができる。
【００５９】
なお、重量検知動作は、内釜を本体１Ｃから取り外した状態、つまり基本動作ができない状態で、上面部７Ｃを閉めた際に実行可能にしておくとよい。このようにしておけば、炊飯動作と重量検知動作とを間違うことがない。
【００６０】
本発明の実施の形態を分けて説明したが、本発明は実施の形態で説明した内容に限定されるものではなく、本発明の要旨を逸脱しない範囲内において種々の変形及び応用が可能である。本発明に係る家電機器には、実施の形態で説明した家電機器の他に、機器の上面が温かくなる、例えば、部屋置きの空気調和装置、除湿機、加湿器、冷蔵庫などが含まれる。また、実施の形態１で説明した耐熱性カバー８Ａａ及び通信手段については、実施の形態２及び実施の形態３のいずれにも適用することができる。
【符号の説明】
【００６１】
１Ａ  本体、１Ｂ  本体、１Ｃ  本体、２Ａ  扉、３Ａ  表示部、３Ｂ  表示部、３Ｃ  表示部、４Ａ  操作部、４Ａａ  スタートキー、４Ａｂ  取り消しキー、４Ａｃ  メニュー選択キー、４Ａｄ  加熱時間キー、４Ｂ  操作部、４Ｂ１  操作部、４Ｂ２  操作部、４Ｂ３  スタートキー、４Ｃ  操作部、４Ｃａ  スタートキー、４Ｃｂ  取り消しキー、４Ｃｃ  メニュー選択キー、４Ｃｄ  加熱時間キー、５Ａ  制御部、５Ｂ  制御部、５Ｃ  制御部、６Ａ  加熱室、６Ｂ  グリル、７Ａ  上面部、７Ｂ  上面部、７Ｃ  上面部、８Ａ  重量測定手段、８Ａａ  耐熱性カバー、８Ｂ  重量測定手段、８Ｂ１  重量測定手段、８Ｂ２  重量測定手段、８Ｂ３  重量測定手段、８Ｃ  重量測定手段、１０Ｂ  加熱対象物載置部、１０Ｂ１  加熱対象物載置部、１０Ｂ２  加熱対象物載置部、１０Ｂ３  加熱対象物載置部、１００Ａ  加熱調理器、１００Ｂ  加熱調理器、１００Ｃ  加熱調理器、Ｃ  ネコ、Ｕ  ユーザー。
【図１】
0006925504.tif 000002
【図２】
0006925504.tif 000003
【図３】
0006925504.tif 000004
【図４】
0006925504.tif 000005
【図５】
0006925504.tif 000006
【図６】
0006925504.tif 000007
【図７】
0006925504.tif 000008
【図８】
0006925504.tif 000009
【図９】
0006925504.tif 000010
【図１０】
0006925504.tif 000011
【図１１】
0006925504.tif 000012
【図１２】
0006925504.tif 000013